(57)【要約】【解決手段】本発明による複数のフレキシブルランスホース巻取りドラム機構又は装置は、３つ以上の支持脚部を有するベースと、ベースから回転可能に支持された中空巻取りドラムアセンブリとを含む。ドラムアセンブリは、中空の円筒状シェルと、シェルに固定された底板と、高圧流体供給接続部と、複数のフレキシブルランスホースの各々の一端に接続するためにシェルの底板に沿って径方向に配置されたマニホールドとを含む。ベースは、ベースからシェルに沿って延びるＬ字状の支持アームを含む。複数のガイドチューブが支持アームによって支持されており、フレキシブルランスホースを巻取りドラムアセンブリに出し入れするためにシェルの縁にわたって揃えられる。【選択図】図４
2018531854.tif 000002
【特許請求の範囲】
【請求項１】
複数のフレキシブル高圧流体クリーニングランスホース用の巻取りドラム装置であって、
ベースと、
回転スイベルを介して前記ベースから回転自在に支持された中空巻取りドラムアセンブリであって、前記ドラムアセンブリは、中空円筒状シェルを含んでおり、前記シェルは、底板と、円筒状側壁と、高圧流体供給接続部と、複数のフレキシブルランスホースの各々の端部を前記高圧流体供給接続部に接続するために前記シェルの底板に配置されたマニホールドとを有している、中空巻取りドラムアセンブリと、
前記シェルの側壁の外側で、前記側壁を横切って前記ベースから延びる支持アームと、  前記巻取りドラムアセンブリにフレキシブルランスホースを出し入れするのを案内するために、前記支持アームによって支持された１本以上のガイドチューブと、
を備える、巻取りドラム装置。
【請求項２】
前記ベースは、前記スイベルの一部を受け入れる中央ソケットと、前記ソケットを支持する３つ以上の脚部のセットとを含む、請求項１に記載の装置。
【請求項３】
前記高圧流体供給接続部は、前記ソケットに装着された前記スイベルのステムに固定されている、請求項１に記載の装置。
【請求項４】
前記巻取りドラムのシェルは、前記底板に平行な周縁を有する、請求項１に記載の装置。
【請求項５】
前記シェル内で前記スイベルを前記マニホールドに接続する反転形状のチューブを更に備える、請求項１に記載の装置。
【請求項６】
前記スイベルは、前記ベースのソケットに保持されるように構成されたステムを形成するハウジング内にあって、ベアリングで支持された管状シャフトを備える、請求項５に記載の装置。
【請求項７】
前記底板は、前記スイベルの管状シャフトに固定されたハブを有する、請求項６に記載の装置。
【請求項８】
前記ベースは、前記スイベルの一部を受け入れる中央ソケットと、前記ソケットから径方向に延びる複数の脚部とを有し、前記支持アームは、前記ドラムアセンブリの円筒状シェルに接するように前記１本以上のガイドチューブを位置決めする、請求項１に記載の装置。
【請求項９】
前記スイベルは、前記ドラムアセンブリの底板上のハブに固定された管状シャフトを有しており、逆Ｕ字状チューブが、前記管状シャフトから軸方向に且つ前記底板に固定された前記マニホールドへと径方向に延びている、請求項８に記載の装置。
【請求項１０】
前記ハブは、円錐台形状を有する請求項８に記載の装置。
【請求項１１】
フレキシブルランス駆動装置との間で複数の高圧洗浄流体ホースを受け入れ、格納し、送り出すための巻取りドラム装置であって、
中心ソケットから放射状に広がる３つ以上の脚部と、前記３つ以上の脚部の１つから延びる支持アームとを有するベースと、
回転スイベルを介して前記ベースから回転自在に支持された中空巻取りドラムアセンブリであって、中空の円筒状シェルを含んでおり、前記シェルは、中央ハブを有する底板と一体である円筒状の側壁と、前記底板に平行であり、前記側壁周りにある環状周縁と、前記シェルの底板に固定されており、複数のフレキシブルランスホースの各々の一端を前記スイベルを通して高圧流体供給コネクタに接続するマニホールドとを有する、中空巻取りドラムアセンブリと、
前記支持アームによって保持されており、前記円筒状シェルに接するように向けられた１本以上のガイドチューブと、
を含む、巻取りドラム装置。
【請求項１２】
前記高圧流体供給接続部は、前記ソケットに装着された前記スイベルのステムに固定されている、請求項１１に記載の装置。
【請求項１３】
前記シェル内で前記スイベルを前記マニホールドに接続する逆Ｕ字状チューブを更に備える、請求項１１に記載の装置。
【請求項１４】
前記スイベルは、前記ベースのソケット内に保持されるように構成されたステムを形成いるハウジング内にあって、ベアリングで支持された管状シャフトを備えている、請求項１３に記載の装置。
【請求項１５】
前記シャフトは、前記逆Ｕ字状チューブの一端に固定されている、請求項１４に記載の装置。
【請求項１６】
前記底板は、前記スイベルの前記管状シャフトに固定されたハブを有する、請求項１４に記載の装置。
【請求項１７】
前記スイベルは、前記ドラムアセンブリの底板上のハブに固定された管状シャフトを有しており、逆Ｕ字状チューブが、前記管状シャフトから軸方向に且つ前記底板に固定されたマニホールドへと径方向に延びている、請求項１１に記載の装置。
【請求項１８】
前記ハブは、円錐台形状を有する、請求項１７に記載の装置。
【請求項１９】
高圧フレキシブルランスクリーニング装置であって、
清掃する導管の内外に１本以上のフレキシブルランスホースを移動させる複数の駆動ローラを作動させる空気式駆動モータと、
フレキシブルランスホースの各々を前記駆動装置との間で受け入れ、格納し、送り出すための巻取りドラム装置と、
を備えており、前記ドラム装置は、
中心ソケットから放射状に広がる３つ以上の脚部と、前記３つ以上の脚部の１つから延びる支持アームとを有するベースと、
回転スイベルを介して前記ベースから回転自在に支持された中空巻取りドラムアセンブリであって、中空の円筒状シェルを含んでおり、前記シェルは、中央ハブを有する底板と一体である円筒状の側壁と、前記底板に平行であり、前記側壁周りにある環状周縁と、前記シェルの底板に固定されており、複数のフレキシブルランスホースの各々の一端を前記スイベルを通して高圧流体供給コネクタに接続するマニホールドとを有する、中空巻取りドラムアセンブリと、
前記支持アームによって保持されており、前記円筒状シェルに接するように向けられた１本以上のガイドチューブと、
前記ドラムアセンブリと前記駆動モータの間で前記複数のランスホースの経路を閉じ込めるために、前記１本以上のガイドチューブと前記駆動モータの間に接続されるように構成された保護スリーブスナウトと、
を備えている、高圧フレキシブルランスクリーニング装置。
【請求項２０】
前記高圧流体供給接続部は、前記ソケットに装着された前記スイベルのステムに固定されている、請求項１９に記載の装置。
【発明の詳細な説明】
【技術分野】
【０００１】
本発明は、高圧流体ハンドリングシステムに関する。特に、本発明の実施形態は、熱交換器のチューブバンドル、或いは、その他の複数のパイプ又は管配列に対して２本以上のフレキシブルチューブクリーニングランスを挿抜する駆動装置からランスを回収し、当該駆動装置にランスを供給する一方で、それらホースの整然とした配置を維持する装置に関している。
【背景技術】
【０００２】
従来のチューブランシング装置の一つは、ドラムの外側に巻き付けられた所定長のフレキシブルランスホースを保持する回転リール式フレキシブルランスホース巻取り・ホース供給装置からなる。ドラムがエアモーターによって回転することで、ドラムから１本又は２本の熱交換器チューブにフレキシブルランスを押し入れる。このドラム装置は、ドラム及び空気駆動装置のサイズに適合するために、必然的に熱交換器のチューブシートから幾分離れて配置されなければならない。
【０００３】
２０１５年４月２２日に出願された米国特許出願第１４／６９３，２５９号に開示されている駆動装置のような、熱交換器のチューブシートに直接装着できるように設計された小型のフレキシブルランス駆動装置が出現したことで、フレキシブルランスホースは通常、駆動装置の周囲の床上で乱雑に横になっている。それらは一緒に絡み合って、スムーズな送り込みが妨げられることがある。故に、複数のフレキシブルランスホースの整然とした保管を維持しながら、２本以上のホースを均一に収容できる保管移送装置が必要とされている。
【発明の概要】
【０００４】
本発明による複数のフレキシブルランスホース巻取りドラム装置又は機構は、そのような要請に直接対処するものである。本発明によるフレキシブルランス巻取りドラム装置の一実施形態は、複数のフレキシブルランスホース用の巻取りドラム装置を含む。この装置は、３つ以上の支持脚部を有するベースと、ベースから回転自在に支持された中空巻取りドラムアセンブリとを含んでいる。
【０００５】
ドラムアセンブリは、中空の円筒状シェルと、シェルに固定された底板と、高圧流体供給接続部と、複数のフレキシブルランスホースの各々の一端に接続するためにシェルの底板に沿って径方向に配置されたマニホールドとを含んでいる。ベースの一実施形態は、ベースからシェルに横付けされて延びるＬ字状の支持アームを含んでいる。複数のガイドチューブが支持アームによって支持されており、フレキシブルランスホースを巻取りドラムアセンブリに出し入れするのを案内するためにシェルの縁にわたって並べられている。
【０００６】
本発明に基づく、複数のフレキシブル高圧流体クリーニングランスホース用の巻取りドラム装置の一実施形態は、ベースと、回転スイベルを介してベースから回転自在に支持される中空の巻取りドラムアセンブリとを含んでいる。ドラムアセンブリは、底板と、円筒状側壁と、高圧流体供給接続部と、複数のフレキシブルランスホースの各々の一端を高圧流体供給接続部に接続するためにシェルの底板上に配置されたマニホールドとを含んでいる。ベースは、シェルの側壁の外側にあって、当該側壁を横切ってベースから延びる支持アームを含んでいる。１本以上のガイドチューブが支持アームによって支持されており、フレキシブルランスホースを巻取りドラムアセンブリに出し入れするのを案内するように位置決めされている。
【０００７】
ベースは、スイベルの一部を受ける中央ソケットと、ソケットを支持する３つ以上の脚部のセットとを有する。スイベルは、ベースのソケットに保持されるように構成されているステムを形成するハウジング内にてベアリングで支持されている管状シャフトを更に有する。底板は、スイベルの管状シャフトに固定されたハブを有している。高圧流体供給接続部は、ソケットに装着されたスイベルのステムに固定される。巻取りドラムのシェルは、底板に平行な周縁を有している。ドラムアセンブリは、シェル内のマニホールドにスイベルを接続する逆Ｕ字状のチューブを更に含むのが好ましい。
【０００８】
本発明に基づく巻取りドラム装置の実施形態は、複数の高圧清掃流体ホースをフレキシブルランス駆動装置に受け入れ、格納し、フレキシブルランス駆動装置から送り出すためのものであって、中央のソケットから放射状に広がる３つ以上の脚部を有するベースと、脚部の１つから延びる支持アームと、回転スイベルを介してベースから回転自在に支持された中空巻取りドラムアセンブリとを含んでいる。
【０００９】
ドラムアセンブリは、中心ハブを有する底板と一体である円筒状側壁を有する中空円筒状シェルを含む。シェルは、側壁の周りに、底板に平行な環状周縁を有する。マニホールドブロックは、シェルの底板に固定されており、スイベルを介して複数のフレキシブルランスホースの各々の一端を高圧流体供給コネクタに接続する。アセンブリは、支持アームによって支持されており、円筒状シェルに接するように支持アームによって方向付けられた１本以上のフレキシブルランスガイドチューブを含む。
【００１０】
本発明の実施形態の更なる特徴、利点及び特徴は、図面と併せて以下の詳細な説明を読むことによって明らかになるであろう。
【図面の簡単な説明】
【００１１】
【図１】図１は、熱交換器のチューブシートに隣接するフレームに固定されたフレキシブルランス駆動装置の斜視図である。
【００１２】
【図２】図２は、本発明に基づくフレキシブルランス巻取りドラム装置の一実施形態の側面図である。
【００１３】
【図３】図３は、図２に示す装置の平面図である。
【００１４】
【図４】図４は、図２に示す装置の上側斜視図である。
【００１５】
【図５】図５は、図３の線５−５で破断した装置の断面図である。
【００１６】
【図６】図６は、図２に示す装置の底面図である。
【００１７】
【図７】図７は、本発明に基づくフレキシブルランス巻取りドラム装置の別の実施形態の側面図である。
【００１８】
【図８】図８は、図８に示す装置の平面図である。
【００１９】
【図９】図９は、図７及び図８に示す装置の上側斜視図である。
【００２０】
【図１０】図１０は、図３の線５−５で破断した装置の断面図である。
【００２１】
【図１１】図１１は、図７に示す装置のホースマニホールドの拡大斜視図である。
【発明を実施するための形態】
【００２２】
例示的なフレキシブルランス駆動装置１０が、サイドカバーが開いた状態で図１に示されており、２本のフレキシブル高圧ランスホース１６０を駆動するために配置された３対の駆動ローラ１２のセットが示されている。装置１０は、ハウジング１６を含んでおり、ハウジング１６内では、駆動モータ１８が６つの駆動ローラ１２の各々を駆動する。図１は、熱交換器のチューブシート１１のチューブに１本以上のフレキシブルランスホース１６０を出し入れするのを案内するために支持された駆動装置１０を示している。駆動装置１０は通常、フレーム１９に固定されたフレキシブルランスガイド１７に装着される。フレーム１９は、チューブシート１１を貫通するチューブに駆動装置１０を揃える。
【００２３】
本発明の第１実施形態に基づく例示的な巻取りドラム装置１００は、フレキシブルランスホース１６０が、図１に示す熱交換器１１のチューブのような、清掃される配管系に供給されるか又はそこから引き出される際に、フレキシブルランスホース１６０を送り出して、取り出すように設計されている。巻取りドラム装置１００の例示的な実施形態が、図２の側面図に示されている。この装置は、略平坦面（図示せず）に装置を載せるための３つ又は４つの脚部１０４を有するベース１０２と、ベース１０２の中央凹部又はソケット１０６に回転可能に支持された巻取りドラムアセンブリ１２０とからなる。
【００２４】
ドラムアセンブリ１２０は、図３に示すように、上側環状縁１２４と環状ディスク型底板１２６とを有する中空円筒状の外側シェル１２２を有している。環状縁１２４は、シェル１２２の周りで底板１２６と平行に延びている。ディスク型底板は、中央の円錐台状ハブ１２８の基部にボルト止めされている。円錐台状ハブ１２８の頂部は、高圧スイベル１３０の管状シャフト１４０に固定されている。スイベル１３０のシャフト１４０は、逆Ｕ字状チューブ１３４の一端１３２にねじ込まれている。チューブ１３４の反対側の端部１３６は、底板１２６に固定された、径方向に延びるマニホールド１３８にねじ込まれている。中央の円錐台状ハブ１２８と、スイベル１３０の管状シャフト１４０とは、スイベル１３０を通る鉛直軸回りでシェル１２２と共に回転する。スイベル１３０の管状シャフト１４０は、ステム１４４のベアリング１４２によって支持されており、ステム１４４は、支持ベース１０２のソケット１０６へと鉛直方向にスライドする。このステム１４４は、図６に示すように、ホース取付具１４８と連通して、装置１００に高圧水源を接続する中央流路１４６を有する。
【００２５】
スイベル１３０のステム１４４が支持ベース１０２のソケット１０６に挿入されると、ステム１４４がそこに捕えられて、ステム１４４は回転しない。その代わりに、スイベル１３０の管状シャフト１４０が、ベアリング１４２内で回転する。スイベル１３０のシャフト１４０の頂部及び底部の高圧シール１５０は、水漏れを防止し、ベアリング１４２を流体圧力からシールする。
【００２６】
好ましくは、軸方向に延びる一連のガイドポスト１５２は、シェル１２２内部の周りに間隔を置いて配置されており、底板１２６から上方に延びている。これらのポスト１５２は、ホースガイドとして働くものであって、ハブ１２８を底板１２６に結合するボルト１５４と螺合する細長いナットであってもよい。これらのガイドポスト１５２は、板金スリーブ又は他のガイド構造に置き換えて、シェル１２２の内周周りにホース１６０が収納される又は巻かれることが確かにされてよい。
【００２７】
底板１２６に固定された径方向マニホールド１３８は、２本以上のフレキシブルランスホース１６０の各々の一端の取付け場所として働く。フレキシブルランスホース１６０の各々の他端は、装置１００から延び、高圧フレキシブルランス駆動装置１０に送られる。
【００２８】
装置１００のベース１０２は静止している。ベース１０２は、一端が脚部１０４の１つに固定されたＬ字状の支持アーム１７０を有している。この支持アーム１７０は、脚部１０４からシェル１２２を越えて横に延出しており、円筒状シェル１２２に沿って、縁１２４の真上へと、縁１２４に接するようにして湾曲している。ホースガイドチューブサポート１７２は、支持アーム１７０の遠位端に固定されており、シェル１２２に接するように向けられた２本以上のホースガイドスタブチューブ１７４を保持する。ホース１６０は夫々、図１に示すランス駆動装置１０のようなランス駆動装置に接続された保護スリーブ１７６へと、これらのホースガイドスタブチューブ１７４の１つを通って送られる。
【００２９】
この保護スリーブ１７６は主として、ランスホース１６０が、清掃されるチューブ又は他の配管から、ランス駆動装置１０によって引き抜かれる際に、ランスホース１６０が取り得る経路を制限する。装置１００の巻取りドラム１２０にホース１６０の経路を制限することによって、スリーブは要するに、ホース１６０をガイドスタブチューブ１７４の中に通してシェル１２２へと押し込む。このホースの動きは、ホースがシェル１２２内で均一に置かれるように、ドラムアセンブリ１２０のシェル１２２及びハブ１０６をベアリング１４２上で回転させるものである。この保護スリーブ１７６は、フレキシブルランス駆動装置に空気圧及び／又は電力を導くように構成されてもよい。
【００３０】
動作中、清掃されるチューブから引き出されている高圧ランスホース１６０は、駆動装置によって、スリーブ１７６、スタブチューブ１７４を通って巻取り装置１００のシェル１２２へと戻される。故に、ドラムアセンブリ１２０が、シェル１２２へと進んでいるホース１６０によって押し回されて、シェル１２２の内側周りをきれいに巻く。ガイドポスト１５２は、ホース１６０がハブ１２８上を横切らずに、その代わりにシェル１２２の内側で巻かれることを保証するのに役立つ。
【００３１】
マニホールド１３８は、１本、２本、又は幾つかのホースを受け入れるように構成されてよい。故に、２本、３本、４本又は５本以上のホース１６０がマニホールド１３８に接続されて、上述したように、巻取りドラム装置１００に対して同時に抜き取られて又は戻されてよい。特定の用途に必要であれば、駆動モータ（図示せず）を追加して、中空ドラムアセンブリ１２０を回転させてよい。
【００３２】
３本のフレキシブルランスホースを同時に取り扱うための、本発明の第２実施形態に基づく例示的な巻取りドラム装置２００が、図７の側面図に示されている。装置２００は、略平坦面（図示せず）上に装置２００を置くための３つ又は４つの脚部２０４を有するベース２０２と、ベース２０２の中央凹部又はソケット２０６に回転可能に支持された巻取りドラムアセンブリ２２０とを含んでいる。このソケット２０６は、脚部２０４に溶接されているか、堅固に取り付けられたＣ字状の管状スリーブであってよい。
【００３３】
ドラムアセンブリ２２０は、図８に示すように、上側環状縁２２４と一体型ディスク状底板２２６とを有する中空円筒状の外側シェル２２２を含んでいる。ディスク状底板２２６は、中央の円錐台ハブ２２８を有しているのが好ましい。円錐台ハブ２２８の頂部は、高圧回転スイベル２３０の管状シャフト２４０の上端に固定されている。スイベル２３０の上部は、逆Ｕ字状チューブ２３４の一端２３２と螺合する管状シャフト２４０である。チューブ２３４の反対側の端部２３６は、底板２２６に固定された径方向に延びるマニホールド２３８にねじ込まれている。このマニホールド２３８は、３本のホース２６０に接続するためのパイプニップル接続部を有している。
【００３４】
中央円錐台ハブ２２８と回転スイベル２３０のシャフト２４０とは、スイベル２３０のベアリング支持されたスイベル２３０の管状シャフト２４０上にあってスイベル２３０を通る鉛直軸回りでシェル２２２と共に回転する。ジョイント２３０のこのシャフト２４０は、支持ベース２０２のソケット２０６へと鉛直方向にスライドするステム２４４のベアリング２４２によって支持されている。このステム２４４は、図６に示すように、ホース取付具２４８と連通して、装置２００に高圧水源を接続する中央流路２４６を有している。
【００３５】
スイベル２３０のステム２４４が支持ベース２０２のソケット２０６に挿入されると、ステム２４４がそこに捕えられて、ステム２４４は回転しない。その代わりに、ジョイント２３０の管状シャフト２４０が、ベアリング２４２内で回転する。ジョイント２３０のシャフト２４０の頂部及び底部の高圧シール２５０は、水漏れを防止し、ベアリング２４２を流体圧力からシールする。
【００３６】
軸方向に延びる一連のガイドポスト２５２が、縁２２４から径方向内側に間隔を置いて配置されており、底板２２６から上方に延びている。これらのポスト２５２は、外側シェル２２２内で３本のホースが巻き付く内部ホースガイドとして働く。底板２２６に固定された径方向マニホールド２３８は、３本のフレキシブルランスホース２６０の各々の一端、又は、ランスホース２６０に固定される３本のフレキシブルスタブホースの各々の一端の何れかの取付け場所として機能する。フレキシブルランスホース１６０（図７乃至図１１には図示せず）の各々の他端は、装置２００の外へと延びて、ホース駆動装置１０に送られる。
【００３７】
装置２００のベース２０２は、静止しており、ベース２０２のソケット２０６を通る鉛直軸回りにドラムアセンブリ２２０が回転できるように方向付けられているのが好ましい。このソケット２０６は基本的に、ステム２４４が受け入れられる大きさの固定Ｃ字状スリーブである。ベース２０２は、一方の端部が脚部２０４の１つに固定されたＬ字状の支持アーム２７０を有する。この支持アーム２７０は、脚部２０４からシェル２２２を越えて横に延出して、円筒状シェル２２２に沿って縁２２４のすぐ上の位置まで上方に延びている。ホースガイドチューブ支持部２７２は、支持アーム２７０の遠位端に伸縮自在に（telescopically）固定されている。この支持部２７２は、シェル２２２の内側に基本的に接するように向き付けられる３本のホース１６０を支持する大きさにされた、湾曲したガイドチューブ２７４を接合し支持する。ホース１６０は夫々、ホースガイドチューブ２７４を介して保護スリーブスナウト２７６へとシェル２２２から引き出される。スナウト２７６の反対側の端部は、ランス駆動装置１０の入口側に固定される。
【００３８】
この保護スリーブスナウト２７６は主として、清掃されるチューブ又は他の配管からランス駆動装置１０によって、３本のランスホース２６０が引き抜かれる際に、３本のランスホース２６０が取り得る経路を制限する。逆の場合も同様である。装置２００の巻取りドラム２２０にホース２６０の経路を限定することによって、スリーブ又はスナウト２７６は要するに、ホース２６０をガイドチューブ２７４に通してシェル２２２へと押し込む。このホースの動きは、ドラムアセンブリ２２０のシェル２２２と、回転スイベル２３０の管状シャフト２４０とをベアリング２４２上で回転させて、ホース１６０がシェル２２２の胴周りに整然且つ均一な態様で配置されるようにする。図２乃至図６を参照して先に提示し説明した第１実施形態と同様に、この保護スナウト２７６は、空気圧及び／又は電力をフレキシブルランス駆動装置１０に導くように構成されてよい。
【００３９】
装置２００の動作中、清掃されているチューブから引き出されている高圧ランスホース１６０は、駆動装置１０によって、スリーブ２７６、スタブチューブ２７４、及び巻取り装置２００のシェル２２２へと戻される。このようにして、ドラムアセンブリ２２０は、ホース１６０がシェル２２２の内側の周囲に巻かれるように、シェル２２２へと進んでいるホース１６０によって押し回される。ガイドポスト２５２は、ホース１６０がハブ２２８を横断せず、その代わりにシェル２２２の内側で巻かれることを確実にする。逆に、駆動モータがランスホース１６０を引き出すと、ドラムアセンブリ２２０は反対に回転して、ホース１６０がガイドチューブ２７４を通ってスナウト２７６へと出ることを可能にする。
【００４０】
ここで特に図１０を参照すると、マニホールド２３８に固定された３本のホースニップル２７８を支持するホースマニホールド２３８の拡大図が示されている。これらのニップル２７８の各々は、ニップル２７８の各々の各ナット部２８２の周りに摺動自在に収容された新規な嵌合ロック２８０を有する。各嵌合ロック２８０は、ニップル２７８のナット部２８２を通して受け入れる大きさにされた六角形の通路を有する細長い平板２８４と、ロックねじ２８８が通ってロック板２８４をマニホールド２３８に固定する別個の閉スロット２８６とを有する。ロック２８０は、ニップル２７８が回転するのを防止し、ひいては、ホースニップル２７８がマニホールド２３８に堅固に固定されるようにする。ニップル２７８のうちの１つを取り外すには、まず、ねじ２８８を除去し、ロック板２８４をニップル２７８から外す必要がある。閉スロット２８６の長さは、ニップル２７８の１／６回転に対応する大きさにされており、ねじ２８８の予め開けられた孔がスロット２８６内のどこかと整列する。
【００４１】
装置１００及び装置２００はスケーラブルであって、追加のホースが同時に収容されてよく、ホース駆動装置１０のホース容量によって主に制限される。３本よりも少ないホースが装置２００内で使用される場合、欠落したホースのために適切なプラグがホースニップル２７８に装着される必要がある。
【００４２】
スナウト２７６は、その近位端に取り付けられており、３本のホースがスナウト２７６に出入りする際に分離して３本のホースの各々を案内するブッシュ２９０を有する。また、このブッシュは、ホースを自由に通過するが、ランス端部、スティンガ、又はノズルがドラムアセンブリ２２０内に入るのを止めるような大きさにされる。同様に、このブッシュ２９０はまた、各ホースにクランプされたホース止め（図示せず）と相互作用して、ドラムアセンブリ２２０から引き出されるホースの量又は長さを制限する。
【００４３】
本発明の範囲から逸脱することなく、装置１００及び装置２００に多くの変更を加えることができる。例えば、ドラムシェルの側壁１２２，２２２と、縁１２４，２２４と、底板１２６，２２６と、ハブ１２８，２２８とは、互いに固定された別個の構造体ではなく、ポリマー材料からなる単一シート材料から製造されてよい。ホースガイドのポスト１５２，２５２は、底板１２６，２２６に固定された円形の内側板金壁で置き換えられてよい。ベース１０２は、平坦な床だけでなく、任意の剛性構造又は面によって支持されるように設計されてよい。例えば、ベース１０２の１又は複数の脚部１０４は、床に静止する３つの脚部を有するのではなく、ランスホース１６０及び駆動装置１０の動作を介して、清掃対象の近くのレール又は既存のフレーム部材にクランプされてよい。最後に、４分の１に近い用途において、巻取りドラム装置１００又は装置２００は、図示されているようにスナウト１７６を必要とするのではなく、駆動装置１０のような駆動装置に直接固定できるであろう。故に、本明細書に記載された特徴及び利点に基づいたそのような変更、代替及び等価物のすべては、本発明の範囲内である。そのような変更及び代替は、請求の範囲及びその等価物によって規定される本発明の精神及び範囲から逸脱することなく導入され得る。
【図１】
2018531854.tif 000003
【図２】
2018531854.tif 000004
【図３】
2018531854.tif 000005
【図４】
2018531854.tif 000006
【図５】
2018531854.tif 000007
【図６】
2018531854.tif 000008
【図７】
2018531854.tif 000009
【図８】
2018531854.tif 000010
【図９】
2018531854.tif 000011
【図１０】
2018531854.tif 000012
【図１１】
2018531854.tif 000013
【国際調査報告】
2018531854.tif 000014
2018531854.tif 000015